(57)【要約】【課題】より高密度な記録及び／又は再生ができるようにした大容量化された光学記録媒体及び光ディスクシステムを提供する。【解決手段】光ディスクシステムでは、ピットを設けて構成されレーザビームが照射される記録層と、厚さが０．４４〜０．６ｍｍであるポリカーボネートからなり上記記録層を覆い上記レーザビームが入射するように形成された光透過層とを有する光ディスクに対し、開口数ＮＡが０．５５〜０．７０である対物レンズを用いて上記レーザビームを上記光ディスクの光透過層の面側から上記記録層に向けて集光するように照射する。【選択図】図１
2006066073.tif 000002
【特許請求の範囲】
【請求項１】
記録及び／又は再生のために光源から出射されるレーザビームが開口数０．５５〜０．７０である対物レンズを介して照射される光学記録媒体であって、
ピットを設けて構成され、上記対物レンズを介してレーザビームが集束されて照射される記録層と、
厚さが０．４４〜０．６ｍｍであるポリカーボネートからなり、上記記録層上を覆い上記光源から出射されたレーザビームが入射するように設けられた光透過層と
を有することを特徴とする光学記録媒体。
【請求項２】
ピットを設けて構成され、光源から出射されたレーザビームが照射される記録層と、厚さが０．４４〜０．６ｍｍであるポリカーボネートからなり上記記録層を覆い上記光源から出射されたレーザビームが入射するように形成された光透過層とを有する光ディスクに対し、
開口数ＮＡが０．５５〜０．７０である対物レンズを用いて上記光源から出射されたレーザビームを上記光ディスクの光透過層の面側から上記記録層に向けて集光するように照射するようにしたことを特徴とする光ディスクシステム。
【発明の詳細な説明】
【技術分野】
【０００１】
本発明は、光ディスクや光磁気ディスクなどの光学記録媒体と、これについて記録及び／又は再生を行うための光ディスクシステムとに関するものである。
【背景技術】
【０００２】
光ディスクや光磁気ディスクなどの光学記録媒体における記録及び／又は再生のための光ディスクシステムの一例として、光磁気ディスク記録及び／又は再生装置を図５に示す。
【０００３】
図５に示す従来の光磁気ディスク記録及び／又は再生装置は、ディスク状の片面光磁気記録媒体５０を装着した際に、片面光磁気記録媒体５０の上面側にレーザ装置５８及び対物レンズ５９等から成る光学系を設け、また、片面光磁気記録媒体５０の下面側に磁気系である磁界発生装置６０を設けて構成されている。対物レンズ５９の開口数（以下「ＮＡ」と称する）は０．５０〜０．５３に設定されている。
【０００４】
また、光磁気記録媒体５０に関するフォーカス方向及びトラッキング方向への光学系の駆動のために、図示省略した駆動系が設けられている。磁気系についても図５の矢印方向及び上記トラッキング方向への駆動のために、図示省略した別の駆動系が設けられている。
【０００５】
この光磁気ディスク記録及び／又は再生装置においてはその記録のために磁界変調方式が採用されている。この磁界変調方式においては、磁界を高速で反転制御する必要があるため充分な励磁電流が得られず、発生磁界強度に限度があるため、上記磁界発生装置６０は、片面光磁気記録媒体５０内の後述の記録磁性層５３の近くに配設される。磁界変調方式によれば、オーバライト（重ね書き）が可能である。
【０００６】
一方、上記片面光磁気記録媒体５０は、例えばポリカーボネート等の透光性のある透明基体５１の一側面に、誘電体層５２、例えば希土類−遷移金属合金非晶質薄膜等の磁気光学効果の大きな記録磁性層５３、誘電体層５４、反射層５５、保護カバー５６を順に積層して成っている。この場合、上記基体５１の厚さｔ1は一定であり、従来までは１．２ｍｍに設定されている。
【０００７】
次に簡単な動作説明をする。先ず、図示省略した回転ディスクに片面光磁気記録媒体５０を載置して回転駆動し、片面光磁気記録媒体５０内の記録磁性層５３に磁界発生装置６０からの磁界を印加する。この印加される磁界は高速反転制御されており、この磁界の印加された記録磁性層５３に、レーザ装置５８から照射されるレーザビームを対物レンズ５９を介して集束することにより、このレーザビームを集束した領域の記録磁性層５３を磁化させることができ、リアルタイムに情報信号をオーバーライトすることができる。
【０００８】
ところで、上記光学系、上記磁気系及びこれらの駆動系を備えて構成される光磁気ピックアップをより小型化するために、上記光学系と上記磁気系とを一体にして光磁気記録媒体の同一面側に配置することが考えられる。すなわち、図５における磁界発生装置６０を対物レンズ５９側（透光性基体５１側）に配置してこれらを一体にする場合であるが、この場合は、磁界発生装置６０と記録磁性層５３との距離がより大きくなってしまうため、記録磁性層５３に対して磁界を充分な強さで印加することができない。
【０００９】
また、近年における情報量の増大化に伴い、一枚の光磁気記録媒体の両面に上述のような記録磁性層等を備えて両面に情報信号の記録ができるような両面光磁気記録媒体が開発されてきている。ところが、このような両面光磁気記録媒体において記録及び／又は再生を行うために、例えば図５に示すような光学系と磁気系とから構成される光磁気ピックアップから両記録磁性層に対して磁界を充分な強さで印加することは極めて困難である。
【００１０】
磁界変調方式の磁界発生装置においては、高周波のデータ信号に応じた高周波の電流を電磁コイルに流さなければならないが、電流は高周波になればなるほどコイルを流れ難くなるため、発生磁界に制限があるうえに、磁界発生装置から記録磁性層までの距離がかなり大きいためである。よって、現行の技術では磁界変調方式による両面光磁気記録は極めて困難とされている。
【発明の開示】
【発明が解決しようとする課題】
【００１１】
上述のような情報量の増大化に対応するため、光ディスクの例えば上述した記録磁性層などの記録部において、より多くの情報信号を記録することが必要となる。本発明の課題は、より高密度な記録及び／又は再生ができるようにした大容量化された光学記録媒体及び光ディスクシステムを提供することである。
【課題を解決するための手段】
【００１２】
請求項１に係る光学記録媒体は、記録及び／又は再生のために光源から出射されるレーザビームが開口数０．５５〜０．７０である対物レンズを介して照射される光学記録媒体であって、ピットを設けて構成され、上記対物レンズを介してレーザビームが集束されて照射される記録層と、厚さが０．４４〜０．６ｍｍであるポリカーボネートからなり、上記記録層上を覆い上記光源から出射されたレーザビームが入射するように設けられた光透過層とを有する。
【００１３】
請求項２に係る光ディスクシステムは、ピットを設けて構成され、光源から出射されたレーザビームが照射される記録層と、厚さが０．４４〜０．６ｍｍであるポリカーボネートからなり上記記録層を覆い上記光源から出射されたレーザビームが入射するように形成された光透過層とを有する光ディスクに対し、開口数ＮＡが０．５５〜０．７０である対物レンズを用いて上記光源から出射されたレーザビームを上記光ディスクの光透過層の面側から上記記録層に向けて集光するように照射するようにした。
【００１４】
対物レンズによりレーザビームが集束されたとき、その集束ビームの最小直径（２ω0）は次式（１）で表わされる。
２ω0＝０．８２×λ／ＮＡ        （１）
（λ：レーザビームの波長）
したがって、対物レンズのＮＡは０．５５〜０．７０であって従来のＮＡ（０．５０〜０．５３）よりも大きいから、集束ビームの最小直径はより小さくなって記録密度が大きくなる。そして、その記録密度に対応した再生ができる。
【００１５】
また、ＮＡが大きくなると対物レンズの厚みも増すが、光学記録媒体のカバー層の厚さが０．１〜０．６ｍｍであって従来の厚さ（１．２ｍｍ）よりも小さいから、厚みの増した対物レンズが光学記録媒体に接触することはない。
【００１６】
また、対物レンズのＮＡ及び光学記録媒体のカバー層の厚さｔが変わると、次のような対物レンズの収差値が変化する。
【００１７】
（Ａ）球面収差Ｗ40
Ｗ40＝｛ｔ・（Ｎ2−１）・ｓｉｎ4α｝／（８Ｎ3）      （２）
（ｓｉｎα＝ＮＡ）
（Ｎ：光学記録媒体のカバー層の屈折率）
【００１８】
（Ｂ）コマ収差Ｗ31
Ｗ31＝｛ｔ・（Ｎ2−１）Ｎ2ｓｉｎθｃｏｓθ・ｓｉｎ3α｝／｛２（Ｎ2−ｓｉｎ2θ）5/2｝                                      （３）
（θ：スキュー）
【００１９】
上記（Ａ）の球面収差は対物レンズにおいて補正が可能であるから、基本的に問題はない。しかし、カバー層の厚さｔがばらつくと問題となるから、このｔを公差内に抑えることが望ましい。上記（Ｂ）のコマ収差は対物レンズにおいて補正できないから、その絶対値は小さいほど好ましい。ここで、ＮＡが０．５５〜０．７０と大きくなってもカバー層の厚さｔは０．６ｍｍ以下と小さくなるので、Ｗ31の絶対値は大きくならない。したがって、対物レンズの収差はＮＡを０．５５〜０．７０とより大きくしてもほとんど問題とならないから、従来通りの記録及び／又は再生をより高密度に行うことができる。
【発明の効果】
【００２０】
本発明による光学記録媒体及び光ディスクシステムによれば、レーザビームを集束する対物レンズのＮＡを０．５５〜０．７０とするとともにポリカーボネートからなる光透過層の厚さを０．４４〜０．６ｍｍとしたから、対物レンズのＮＡが０．５０で光透過層の厚さが１．２ｍｍであったときとコマ収差を同じかそれ以下にしつつ、より高密度な記録及び／又は再生が可能となって大容量化を図ることができ、対物レンズのＮＡが大きくて厚さが厚くてもこの対物レンズが光学記録媒体に接触せず、ダストによる問題の発生を防止することもできる。
【発明を実施するための最良の形態】
【００２１】
以下、本発明による第１〜第３の実施形態を図１〜４を参照しながら説明する。図１は、本発明を光磁気ディスク記録及び／又は再生装置に適用した第１の実施形態を示す断面図であって、この光磁気ディスク記録及び／又は再生装置の基本的な構成を示す。図１に示すように、この光磁気ディスク記録及び／又は再生装置は、ＮＡを０．５５〜０．７０とした対物レンズ２とコイルパターン７の形成された光透過性を有する光学ガラス８から構成されている磁界発生装置９とを具備する。
【００２２】
そして、厚さｔ2が０．１〜０．６ｍｍである透光性基体４１に、誘電体層４２、記録磁性層４３、誘電体層４４、反射膜４５及び保護カバー４６を順に積層して成る、透光性基体部を薄くしたディスク状の片面光磁気記録媒体４０について、図示省略したレーザビーム装置からレーザビームを照射して記録及び再生を行うことができるように構成されている。なお、上記磁界発生装置９は磁界変調方式によるものであり、これについては後で図３を用いて詳述する。
【００２３】
また、上記誘電体層４２の厚さは、上記ｔ2と較べてかなり小さいので、このｔ2に対する厚さとしては考慮しなくてもよい。光学系である対物レンズ２と磁気系である光学ガラス８とは、一体になるように接着されておりかつコイルパターン７が光磁気記録媒体４０に接近して配置されている。
【００２４】
上述のように透光性基体４１の厚さｔ2が従来よりもかなり小さく、またコイルパターン７が透光性基体４１に接近しているから、コイルパターン７と記録磁性層４３との距離は短くなり好ましい。また、光学系と磁気系とを一体にできるから、これらから成る光磁気ピックアップを小型化でき、また低価格化できるとともに、後述の第２及び第３の実施形態において示すように両面光磁気記録媒体における記録及び再生が可能となる。
【００２５】
また、この光磁気ディスク記録及び／又は再生装置に用いられる光磁気記録媒体において、例えば３．５インチの光磁気ディスクを固定式にあるいはカートリッジホルダーに収納して用いるのが好ましい。
【００２６】
対物レンズ２のＮＡが０．５５〜０．７０と大きくなることにより、その焦点深度（＝λ／ＮＡ2、λ：レーザビームの波長）が浅くなるが、光磁気ディスクが上述のように小さいために、上記光磁気ピックアップのための駆動系を構成する図示省略したアクチュエータが小型化され、その周波数特性が改善されてこのアクチュエータが十分に追随するから、焦点深度が浅くなることは問題ない。
【００２７】
また、上述の球面収差Ｗ40は対物レンズ２において補正されている。また、コマ収差Ｗ31に関しては、上述のように対物レンズのＮＡがより大きくなっても透光性基体の厚さｔ2がより小さいので問題はない。ここで、コマ収差Ｗ31が、従来のような対物レンズのＮＡ＝０．５０及び透光性基体（カバー層）の厚さｔ＝１．２ｍｍの場合に得られるコマ収差Ｗ31の値と等価になるＮＡ及びｔを、４ケースについて求めた結果を下の表１に示す。
【００２８】
【表１】
2006066073.tif 000003
【００２９】
この表１に示されるように、ＮＡを０．５５〜０．７０としても上記ｔを０．６〜０．１ｍｍとすれば、コマ収差は従来と同じかそれ以下にできるから問題ないことがわかる。
【００３０】
また、対物レンズ２のＮＡを大きくしたことにより対物レンズ２の厚さが増すが、上述のように透光性基体の厚さｔ2が小さいから、図１に示すように対物レンズ２と光磁気記録媒体４０との距離ｄ（いわゆるワーキングディスタンス）は、所定の値以上となるから、対物レンズ２と光磁気記録媒体４０とは接触しない。また、光学記録及び／又は光学再生装置において問題となるダストは、この場合、光磁気記録媒体においてカートリッジホルダー式あるいは固定式を採用したので、問題はない。
【００３１】
なお、上述のダストは、その粒径や分布が問題となるが、上記透光性基体４１上においてレーザビームによって生じる投影された円の半径ｒ（図１参照）は、
ｒ＝ｔ・ｔａｎ（ａｒｃ  ｓｉｎ（ＮＡ／Ｎ））      （４）
である。そして、この式（４）からわかるように、カバー層の厚さｔが小さくなると上記ｒも小さくなるが、ＮＡがより大きいため大幅に上記ｒは小さくならないから、本実施形態において上述のダストの問題は特にない。
【００３２】
上述のように、本実施形態の光磁気ディスク記録及び／又は再生装置においては、その対物レンズのＮＡを０．５５〜０．７０とするとともに透光性基体（カバー層）の厚さｔ2を０．６〜０．１ｍｍとしたから、従来のＮＡが０．５０である対物レンズを用いた記録及び／又は再生装置の場合と比べて、上記式（１）からわかるようにその記録密度を（０．５５／０．５０）2〜（０．７０／０．５０）2≒１．２〜２倍とすることが可能となり、このＮＡを大きくしたことによる上記種々の問題は総て解消され得ることがわかる。したがって、問題なく光磁気ディスク記録及び／又は再生装置を大容量化することが可能である。
【００３３】
次に、上述の第１の実施形態のさらに詳細な光磁気ディスク記録及び／又は再生装置の構成を、第２及び第３の実施形態につき説明する。図２は、本発明による光磁気ディスク記録及び／又は再生装置の第２の実施形態の断面図である。
【００３４】
この第２の実施形態は、光学系と磁気系とを備えている第１及び第２の光磁気ピックアップ装置を、図２に示すように光磁気記録媒体１０を介して対向するように配置して構成されているものである。上記媒体１０の上面側に配置される第１の光磁気ピックアップ装置及びその下面側に配置される第２の光磁気ピックアップ装置は、以下に説明するように同様の構成であり、それらの構成部分１〜９と１′〜９′とは対応している。
【００３５】
この図２における第１及び第２の光磁気ピックアップ装置は、レーザ装置１、１′と、上述したようにＮＡが０．５５〜０．７０である対物レンズ２、２′と、フォーカスコイル３ａ、３ａ′及びトラッキングコイル３ｂ、３ｂ′が巻装されたコイルボビン４、４′と、このコイルボビン４、４′の周りに配されるマグネット５、５′とから成る光学系であるピックアップ６、６′と磁気系である上述の磁界発生装置９、９′とから構成されている。
【００３６】
上記ピックアップ６、６′のコイルボビン４、４′は、例えば円筒形をしており、周囲にこのピックアップ６、６′を図１に示すＦ方向に駆動させるためのフォーカスコイル３ａ、３ａ′及びピックアップ６、６′を図１に示すＴ方向に駆動させるために巻回されたトラッキングコイル３ｂ、３ｂ′が設けられている。また、コイルボビン４、４′の端部４ａ、４ａ′に近い位置には、レンズ支持部材２ａ、２ａ′が設けられており、これにより上記レーザ装置１、１′から照射されるレーザビームを集束する対物レンズ２、２′を支持している。
【００３７】
上記磁界発生装置９、９′は、図３に示すように、例えば石英等のような光透過性を有する光学ガラス８、８′の表面８ａ、８ａ′に、高周波信号の電流を流して磁界を発生させるための導体７ａ、７ａ′が、渦巻き状のコイルパターン７、７′として形成されることにより構成されている。
【００３８】
この光学ガラス８、８′のコイルパターン７、７′が形成されていない裏面８ｂ、８ｂ′には、上記コイルボビン４、４′の端部４ａ、４ａ′が、上記コイルパターン７、７′の中心と、対物レンズ２、２′の中心とが一致するように位置合わせされて接着固定されている。これにより、発生する磁界の中心にレーザビームを集束することができるため、ピックアップの組み立て時における中心合わせの調整が不要となる。
【００３９】
なお、上記光学ガラス８、８′に石英を用いたのは一例であり、光透過性のものであれば何でもよく、また、上記コイルパターン７、７′において、例えばプリントコイル、薄膜コイル等を用いたりすることができる。また、上記光学ガラス８、８′に、反射を防ぐためレーザビームの通過する孔部を設けてもよい。
【００４０】
一方、図２に示す第１の両面光磁気記録媒体１０は、本件出願人が先に特願平１−１４２５６３号の明細書及び図面において提案したものであり、共通化した基体１１の両面にそれぞれ記録部１６、光硬化樹脂層１７、透明保護板１８を設けて構成されている。透明保護板１８と光硬化樹脂層１７とは共に透光性を有しそれらの厚さの和は、０．６ｍｍ以下にすることができる。
【００４１】
上記各記録部１６においては、それぞれ反射層１５が記録磁性層１２よりも基体１１側に配されるように積層されており、それぞれ基体１１側から反射層１５、第２の誘電体層１４、記録磁性層１２、第１の誘電体層１３の順に積層されている。この両面光磁気記録媒体１０は基体１１が共通化されているため、これまでの基体の貼り合わせによる従来の両面光磁気記録媒体に比べて厚さをほぼ半分に抑えることができるようなものである。
【００４２】
次に動作説明をする。上述のように構成される第１の光磁気ピックアップ装置は、フォーカスコイル３ａにフォーカス駆動電流を供給することにより、コイルボビン４、及びこのコイルボビン４に設けられている磁界発生装置９が図２中矢印Ｆで示す上記対物レンズ２の光軸方向であるフォーカス方向に駆動変位される。
【００４３】
また、上記トラッキングコイル３ｂにトラッキング駆動電流が供給されることにより、コイルボビン４、及び磁界発生装置９が図２中矢印Ｔで示す対物レンズ２の光軸に直交する方向であるトラッキング方向に駆動変位される。同様に、第２の光磁気ピックアップ装置についても上記Ｆ方向及び上記Ｔ方向に第１の光磁気ピックアップ装置の駆動に同期して駆動変位される。
【００４４】
同時に、磁界発生装置９、９′の導体７ａ、７ａ′で形成されるコイルパターン７、７′に、記録しようとする信号を増幅した高周波の電流信号を供給することにより磁界が発生する。この磁界は記録信号に応じて高速反転制御されており、上記両面光磁気記録媒体１０の記録磁性層１２、１２に印加される。そして、この記録磁性層１２、１２の磁界の印加された領域に、レーザ装置１、１′から照射されるレーザビームを対物レンズ２、２′及び光透過性を有する光学ガラス８、８′を介して集束し、記録磁性層１２、１２の温度をキュリー点以上に上昇させることにより情報信号の記録を行うことができる。
【００４５】
以上の説明から明らかなように、本実施形態における光磁気ディスク記録及び／又は再生装置は、レーザ装置１、１′や対物レンズ２、２′等から成るピックアップ６、６′である光学系と、光学ガラス８、８′にコイルパターン７、７′を形成して成る磁界発生装置９、９′である磁気系とを両面光磁気記録媒体１０の同一面側に設けることにより、コイルパターンと光磁気記録媒体１０との距離を短くできる。
【００４６】
さらに透明保護板１８と光硬化樹脂層１７とから成るカバー層の厚さが小さいので、結局、コイルパターン７、７′と両面光磁気記録媒体１０の記録磁性層１２、１２との距離を極めて短くできるから、従来までは極めて困難であるとされていた光磁気変調方式による両面光磁気記録媒体への記録及び再生が可能となる。
【００４７】
また、ピックアップ６、６′のコイルボビン４、４′と磁界発生装置９、９′とを、例えば接着等によって結合固定することにより、対物レンズ２、２′の中心と、磁界発生装置９、９′の磁界の中心とを合わせることが容易となり、また、フォーカスサーボにより、ピックアップ６、６′と磁界発生装置９、９′とが連動するため、両面光磁気記録媒体１０に印加する磁界の強度を常に一定とすることができる。また、従来まで必要であった磁気系のための駆動系を省略できる。そして、上記光磁気ピックアップ装置の配設スペースに余裕ができるため、設計における自由度を増すことができる。
【００４８】
上記第２の実施形態によれば、両面光磁気記録媒体の記録及び再生を様々に行うことが可能となり、例えばレーザ装置１、１′及び磁気発生装置９、９′を同時に用いることによって、両面光磁気記録媒体１０の上面側及び下面側への同時記録が可能となり、またレーザ装置１と１′とを同時に用いれば同時再生が可能となる。これによって、より大容量化が図れるとともに、情報信号のより高速な記録及び再生が可能となる。
【００４９】
また、両面光磁気記録媒体１０の一方の面においてまず記録または再生を行ってから、次に他方の面において記録または再生を行うことが可能となる。これによって、片面光磁気記録媒体と比べて２倍の容量の記録及び再生ができる。
【００５０】
なお、上述の場合、一方の面に記録する際、他方の面側に配置されている磁界発生装置９または９′からも磁界を発生させながら２つの磁界発生装置９及び９′を同時に用いることができる。したがって、記録磁性層１２に対してその両面から磁界を加えることができ、より大きな磁界のもので記録を行える。また、一方の面に記録する際に他方の面側に配置されている磁界発生装置だけを用いることにより記録を行うことも可能である。
【００５１】
次に、第３の実施形態について説明する。図４に示すように本実施形態は、図２に示すのと同様の光磁気ディスク記録及び／又は再生装置を用いるとともに、図４に示す第２の両面光磁気記録媒体３０を用いて記録及び再生を行うことができるように構成されているものである。
【００５２】
上記第２の両面光磁気記録媒体３０は、本願の発明者の一人が先に他の発明者と共に特願平１−２７４７３４号の明細書及び図面において提案したものであり、共通化した基体３１の両面にそれぞれ高透磁率層３２、光硬化性樹脂層３３、光磁気記録層３４、接着剤層３５、透明保護板３６が順次に積層されているものである。透明保護板３６と接着剤層３５とは共に透光性を有しそれらの厚さの和は、０．６ｍｍ以下とすることができる。
【００５３】
高透磁率層３２は、例えばＦｅ、Ｃｏ、Ｎｉなどの遷移金属、及びこれらの合金であるパーマロイ、センダスト、またはアモルファス磁性合金などの高透磁率を有する材料から構成されるものであって、両面光磁気記録媒体３０の垂直方向における垂直磁界効率を高めることが可能となる。
【００５４】
第３の実施形態においては、第２の両面光磁気記録媒体３０が高透磁率層３２を備えているため、磁界発生装置９、９′からの磁束が、例えば図４の破線で示すように、磁気閉ループを構成するから、記録時において両面光磁気記録媒体３０に印加される磁束を効果的に集束してその垂直磁界効率を高めることができて好ましい。
【００５５】
また、第３の実施形態においても、両面光磁気記録媒体３０の両面において同時に記録または再生が可能であり、また一方の面で記録または再生を行ってから、次に他方の面で記録または再生を行うことが可能である。
【００５６】
以上のように、第２及び第３の実施形態では、第１の実施形態と同様に対物レンズ２、２′のＮＡをより大きくしたのでより高密度な記録及び再生が可能となるとともに、両面光磁気記録媒体を用いることができるため、より大容量でかつより高速な記録及び再生が可能である。したがって、大容量化された光磁気ディスク記録及び／又は再生装置を提供することができる。
【００５７】
なお、第１〜第３の実施形態においては、その磁界発生装置９、９′は磁界変調方式によるものであったが、他の方式例えば光変調方式によるものにも適用可能である。また、第１〜第３の実施形態は光磁気ディスク記録及び／又は再生装置であるが、本発明はこれに限定されるものではなく、例えば記録層にピットを設けて構成される光学記録媒体（例えば追記型光学記録媒体なども含む）の記録及び／又は再生を行う光学記録及び／又は光学再生装置でもよいことは勿論である。
【図面の簡単な説明】
【００５８】
【図１】本発明の第１の実施形態である光磁気ディスク記録及び／又は再生装置の構成を示す断面図である。
【図２】本発明の第２の実施形態である光磁気ディスク記録及び／又は再生装置の構成を示す断面図である。
【図３】図１、２、４に示す光磁気ディスク記録及び／又は再生装置において用いることのできるコイルパターンの形成された光学ガラスの正面図である。
【図４】本発明の第３の実施形態である光磁気ディスク記録及び／又は再生装置の構成を示す断面図である。
【図５】従来の光磁気ディスク記録及び／又は再生装置の構成を示す断面図である。
【符号の説明】
【００５９】
２          対物レンズ
２′        対物レンズ
１０          光磁気記録媒体（光学記録媒体）
１６          記録部（記録層）
１７、１８    光硬化樹脂層及び透明保護板（光透過層、透光性カバー）
３０          光磁気記録媒体（光学記録媒体）
３４          光磁気記録層（記録層）
３５、３６    接着剤層及び透明保護板（光透過層、透光性カバー）
４０          光磁気記録媒体（光学記録媒体）
４１          透光性基体（光透過層、透光性カバー）
４３          記録磁性層（記録層）
ｔ1           カバー層の厚さ
ｔ2           カバー層の厚さ
【図１】
2006066073.tif 000004
【図２】
2006066073.tif 000005
【図３】
2006066073.tif 000006
【図４】
2006066073.tif 000007
【図５】
2006066073.tif 000008